(57)【要約】 【課題】  読影レポートを印刷する際の情報の欠落を防ぐこと。【解決手段】  レポート作成装置は、記憶部、印刷確認部、解析部、及び判定部を具備する。記憶部は、読影レポートを印刷する際のレイアウトに関するレイアウト情報を予め記憶し、かつ、読影レポートを作成する際に入力された入力情報を記憶する。印刷確認部は、作成された読影レポートに含まれる情報を、前記レイアウト情報に従って適宜配置することでプレビューデータを作成する。解析部は、前記作成されたプレビューデータを、前記レイアウト情報に基づいて解析することで、前記プレビューデータに含まれる情報を取得する。判定部は、前記取得された情報と、前記入力情報とを比較することで、前記読影レポートが正常に印刷されるか否かを判断する。【選択図】図２
2018147083.tif 000002
【特許請求の範囲】
【請求項１】
読影レポートを印刷する際のレイアウトに関するレイアウト情報を予め記憶し、かつ、読影レポートを作成する際に入力された入力情報を記憶する記憶部と、
作成された読影レポートに含まれる情報を、前記レイアウト情報に従って適宜配置することでプレビューデータを作成する印刷確認部と、
前記作成されたプレビューデータを、前記レイアウト情報に基づいて解析することで、前記プレビューデータに含まれる情報を取得する解析部と、
前記取得された情報と、前記入力情報とを比較することで、前記読影レポートが正常に印刷されるか否かを判断する判定部と
を具備するレポート作成装置。
【請求項２】
前記レイアウト情報では、読影レポートにおける患者情報を印刷するための患者情報領域と、所見情報を印刷するための所見情報領域とが設定されており、
前記印刷確認部は、前記作成された読影レポートにおける患者情報を前記患者情報領域に配置し、前記作成された読影レポートにおける所見情報を前記所見情報領域に配置することで、前記プレビューデータを作成し、
前記解析部は、前記作成されたプレビューデータに含まれる情報のうち、前記レイアウト情報で設定されている前記患者情報領域に配置されている情報と、前記レイアウト情報で設定されている前記所見情報領域に配置されている情報とを取得する請求項１記載のレポート作成装置。
【請求項３】
前記レイアウト情報では、読影レポートにおける医用画像を添付するための画像添付領域が設定されており、
前記印刷確認部は、前記作成された読影レポートにおける医用画像を前記画像添付領域に添付することで、前記プレビューデータを作成し、
前記解析部は、前記作成されたプレビューデータにおいて、前記レイアウト情報で設定されている前記画像添付領域に添付されている医用画像の数と、画像サイズとを取得し、
前記判定部は、前記取得された数、及び画像サイズと、前記読影レポートの作成時に添付された医用画像の数、及び画像サイズとを比較することで、前記読影レポートが正常に印刷されるか否かを判断する請求項１又は２に記載のレポート作成装置。
【請求項４】
前記判定部において、前記読影レポートが正常に印刷されないと判断された場合、前記記憶部に記憶されている前記レイアウト情報に問題があると推定し、推定した問題を読影医へ提示する提示部をさらに具備する請求項１乃至３のいずれかに記載のレポート作成装置。
【請求項５】
印刷データを出力するレポート作成装置と、
前記印刷データに基づいて医用文書を印刷する印刷装置と、
前記印刷装置により印刷された医用文書から画像情報を読み取る読取装置と
を具備し、
前記レポート作成装置は、
読影レポートを印刷する際のレイアウトに関するレイアウト情報を予め記憶し、かつ、読影レポートを作成する際に入力された入力情報を記憶する記憶部と、
作成された読影レポートに含まれる情報を、前記レイアウト情報に従って適宜配置することで前記印刷データを作成する作成部と、
前記読取装置で読み取られた画像情報を、前記レイアウト情報に基づいて解析することで、前記画像情報に含まれる情報を取得する解析部と、
前記取得された情報と、前記入力情報とを比較することで、前記医用文書が正常に印刷されたか否かを判断する判定部と
を備えるレポート作成システム。
【請求項６】
前記レイアウト情報では、読影レポートにおける患者情報を印刷するための患者情報領域と、所見情報を印刷するための所見情報領域とが設定されており、
前記作成部は、前記作成された読影レポートにおける患者情報を前記患者情報領域に配置し、前記作成された読影レポートにおける所見情報を前記所見情報領域に配置することで、前記印刷データを作成し、
前記解析部は、前記読取装置で読み取られた画像情報に含まれる情報のうち、前記レイアウト情報で設定されている前記患者情報領域に配置されている情報と、前記レイアウト情報で設定されている前記所見情報領域に配置されている情報とを取得する請求項５記載のレポート作成システム。
【請求項７】
前記判定部は、前記患者情報領域に配置されている情報と前記入力情報に含まれている患者情報とが一致せず、若しくは、前記所見情報領域に配置されている情報と前記入力情報に含まれている所見情報とが一致しない場合、前記医用文書が正常に印刷されなかったと判断し、
前記レポート作成装置は、
前記判定部において、前記医用文書が正常に印刷されなかったと判断された場合、前記入力情報に含まれている患者情報、及び所見情報のうち、一致しないと判断された少なくともいずれかを含む訂正書面を作成する訂正書面作成部をさらに具備する請求項６に記載のレポート作成システム。
【請求項８】
前記レイアウト情報では、読影レポートにおける医用画像を添付するための画像添付領域が設定されており、
前記作成部は、前記作成された読影レポートにおける医用画像を前記画像添付領域に添付することで、前記印刷データを作成し、
前記解析部は、前記読取装置で読み取られた画像情報において、前記レイアウト情報で設定されている前記画像添付領域に添付されている医用画像の数と、画像サイズとを取得し、
前記判定部は、前記取得された数、及び画像サイズと、前記入力情報に含まれている医用画像の数、及び画像サイズとを比較することで、前記医用文書が正常に印刷されたか否かを判断する請求項５乃至７のいずれかに記載のレポート作成システム。
【請求項９】
前記判定部は、前記取得された数、及び画像サイズと、前記前記入力情報に含まれている医用画像の数、及び画像サイズとが一致しない場合、前記医用文書が正常に印刷されなかったと判断し、
前記レポート作成装置は、
前記判定部において、前記医用文書が正常に印刷されなかったと判断された場合、前記入力情報に含まれている医用画像の数、及び画像サイズで医用画像を添付した訂正書面を作成する訂正書面作成部をさらに具備する請求項８記載のレポート作成システム。
【請求項１０】
前記レポート作成装置は、
前記判定部において、前記医用文書が正常に印刷されなかったと判断された場合、印刷環境に問題があると推定し、推定した問題を読影医へ提示する提示部をさらに具備する請求項５乃至９のいずれかに記載のレポート作成システム。
【請求項１１】
読影レポートを印刷する際のレイアウトに関するレイアウト情報を予め記憶する記憶部に、読影レポートを作成する際に入力された入力情報を記憶する処理と、
作成された読影レポートに含まれる情報を、前記レイアウト情報に従って適宜配置することでプレビューデータを作成する処理と、
前記作成されたプレビューデータを、前記レイアウト情報に基づいて解析することで、前記プレビューデータに含まれる情報を取得する処理と、
前記取得された情報と、前記入力情報とを比較することで、前記読影レポートが正常に印刷されるか否かを判断する処理と
をプロセッサに実施させる印刷確認プログラム。
【請求項１２】
印刷データを出力するレポート作成装置と、前記印刷データに基づいて医用文書を印刷する印刷装置と、前記印刷装置により印刷された医用文書から画像情報を読み取る読取装置とを具備するレポート作成システムで用いられる印刷確認プログラムにおいて、
読影レポートを印刷する際のレイアウトに関するレイアウト情報を予め記憶する記憶部へ、読影レポートを作成する際に入力された入力情報を記憶する処理と、
作成された読影レポートに含まれる情報を、前記レイアウト情報に従って適宜配置することで前記印刷データを作成する処理と、
前記読取装置で読み取られた画像情報を、前記レイアウト情報に基づいて解析することで、前記画像情報に含まれる情報を取得する処理と、
前記取得された情報と、前記入力情報とを比較することで、前記医用文書が正常に印刷されたか否かを判断する処理と
をプロセッサに実施させる印刷確認プログラム。
【発明の詳細な説明】
【技術分野】
【０００１】
本発明の実施形態は、レポート作成装置、レポート作成システム、及び印刷確認プログラムに関する。
【背景技術】
【０００２】
近年、医用画像診断装置の高度化に伴い、医用画像の分析にも高度な専門性が要求されている。そのため、大規模な病院では、読影専門の医師（読影医）が画像を診断し、報告書である読影レポートを作成し、その結果に基づいて、診察医が診察を行う場合が多い。
【０００３】
ところで、放射線科の現場では、作成した読影レポートを印刷し、印刷した読影レポートで診断結果を報告することがある。例えば、他院へ患者を紹介する際に、紹介状と共に、印刷した読影レポートを同封することが該当する。しかしながら、印刷環境の問題等により、読影レポートの作成中に入力した情報の一部が、印刷した読影レポートから欠落等するおそれがある。
【先行技術文献】
【特許文献】
【０００４】
【特許文献１】特開２０１６−２４５３２号公報
【発明の概要】
【発明が解決しようとする課題】
【０００５】
そこで、目的は、読影レポートを印刷する際の情報の欠落を防ぐことである。
【課題を解決するための手段】
【０００６】
実施形態によれば、レポート作成装置は、記憶部、印刷確認部、解析部、及び判定部を具備する。記憶部は、読影レポートを印刷する際のレイアウトに関するレイアウト情報を予め記憶し、かつ、読影レポートを作成する際に入力された入力情報を記憶する。印刷確認部は、作成された読影レポートに含まれる情報を、前記レイアウト情報に従って適宜配置することでプレビューデータを作成する。解析部は、前記作成されたプレビューデータを、前記レイアウト情報に基づいて解析することで、前記プレビューデータに含まれる情報を取得する。判定部は、前記取得された情報と、前記入力情報とを比較することで、前記読影レポートが正常に印刷されるか否かを判断する。
【図面の簡単な説明】
【０００７】
【図１】図１は、第１の実施形態に係る病院情報システムの機能構成を表すブロック図である。
【図２】図２は、図１に示されるレポート作成装置の機能構成を表すブロック図である。
【図３】図３は、図２に示されるレポート作成装置が、レポート作成サーバを介して読影レポートを作成する際の動作を表すフローチャートである。
【図４】図４は、図２に示されるレポート作成装置の記憶回路に記憶される情報を表す図である。
【図５】図５は、図２に示されるレポート作成装置が、読影レポートが正しく印刷されるか否かを確認する際の動作の例を表すフローチャートである。
【図６】図６は、図２に示される処理回路により作成されたプレビューデータの図を表す図である。
【図７】図７は、第２の実施形態に係るレポート作成システムの機能構成を表すブロック図である。
【図８】図８は、図７に示されるレポート作成装置が、医用文書が正しく印刷されたか否かを確認する際の動作を表すフローチャートである。
【図９】図９は、図７に示されるレポート作成システムで印刷される訂正書面を表す模式図である。
【図１０】図１０は、図７に示されるレポート作成システムで印刷される訂正書面を表す模式図である。
【図１１】図１１は、図７に示される処理回路が印刷環境の問題を推定する際に用いるテーブルを表す図である。
【発明を実施するための形態】
【０００８】
以下、実施の形態について、図面を参照して説明する。
【０００９】
（第１の実施形態）  
図１は、第１の実施形態に係る病院情報システムの機能構成の例を表すブロック図である。図１に示される病院情報システムは、レポート作成装置１、レポート作成サーバ２、及び画像サーバ３を具備する。レポート作成装置１、レポート作成サーバ２、及び画像サーバ３は、ＬＡＮ（Local Area Network）等の病院内ネットワークへ接続される。レポート作成装置１、レポート作成サーバ２、及び画像サーバ３は、例えば、画像管理システム（ＰＡＣＳ：Picture Archiving and Communication System）を構成する。なお、ＬＡＮへの接続は、有線接続、及び無線接続を問わない。また、セキュリティが確保されるのであれば、接続される回線はＬＡＮに限定されない。例えば、ＶＰＮ（Virtual Private Network）等を介し、インターネット等、公衆の通信回線に接続するようにしても構わない。
【００１０】
レポート作成装置１は、例えば、放射線科の読影医が医用画像の読影レポートを作成するための装置である。レポート作成装置１は、例えば、ＰＡＣＳを構成するＰＣ端末により実現される。なお、レポート作成装置１は、放射線部門情報管理システム（ＲＩＳ：Radiology Information System）を構成するＰＣ端末により実現されてもよい。
【００１１】
レポート作成装置１は、読影医から入力される、読影レポートを作成する旨の指示信号をレポート作成サーバ２へ送信することで、レポート作成サーバ２に読影レポートを作成させる。レポート作成装置１は、読影レポートを作成する際に必要となる医用画像を、画像サーバ３から取得する。レポート作成装置１は、レポート作成サーバ２で作成された読影レポートについての情報を受信し、受信した情報に基づき、作成された読影レポートの内容が含まれた医用文書を印刷する。
【００１２】
レポート作成サーバ２は、読影レポートを作成する装置である。レポート作成サーバ２は、例えば、ＬＡＮに接続される電子カルテサーバ（図示せず）から送信されるオーダ情報、及び患者情報を受信すると、読影レポートの対象となる患者情報、検査情報、及び依頼元情報等が書き込まれた読影レポートを作成する。オーダ情報、及び患者情報は、予め設定されている規格、例えば、ＨＬ７（Health Level 7）に則って電子カルテサーバからレポート作成サーバ２へ送信される。
【００１３】
また、レポート作成サーバ２は、レポート作成装置１から読影レポートの作成が指示されると、所定情報が書き込まれた読影レポートについてのレポート作成画面をレポート作成装置１に表示させる。レポート作成サーバ２は、レポート作成画面への所見情報等の入力に基づいて読影レポートを作成する。
【００１４】
また、レポート作成サーバ２は、診察医からの要求に応じ、作成した読影レポートについての情報を、ＬＡＮに接続される電子カルテサーバへ送信する。このとき、読影レポートについての情報は、予め設定されている規格、例えば、ＤＩＣＯＭ（Digital Imaging and Communication in Medicine）に則って電子カルテサーバへ送信される。
【００１５】
画像サーバ３は、医用画像診断装置により撮像された画像データを記憶する装置である。画像サーバ３において、画像データは、例えば、ＤＩＣＯＭ規格に則った画像ファイルとして記憶される。ＤＩＣＯＭ規格に準拠する画像ファイルは、画像データと、付帯情報とを含む。付帯情報には、例えば、患者情報、検査情報、及びシリーズ情報等が含まれる。画像サーバ３は、レポート作成装置１からの要求に応じ、記憶している画像ファイルをレポート作成装置１へ送信する。
【００１６】
図２は、図１に示されるレポート作成装置１の機能構成の例を表すブロック図である。図２に示されるレポート作成装置１は、処理回路１１、入力インタフェース１２、出力インタフェース１３、通信インタフェース１４、及び記憶回路１５を有する。処理回路１１、入力インタフェース１２、出力インタフェース１３、通信インタフェース１４、及び記憶回路１５は、例えば、バスを介して互いに通信可能に接続されている。
【００１７】
処理回路１１は、レポート作成装置１の中枢として機能するプロセッサである。処理回路１１は、記憶回路１５等に記憶されている処理プログラムを実行することにより、当該プログラムに対応する機能を実現する。
【００１８】
入力インタフェース１２は、例えば、マウス、キーボード、及び、操作面へ触れることで指示が入力されるタッチパネル等により実現される。入力インタフェース１２は、読影医からの入力指示を電気信号へ変換し、電気信号を処理回路１１へ出力する。なお、入力インタフェース１２は、マウス、及びキーボード等の物理的な操作部品を備えるものだけに限られない。例えば、レポート作成装置１とは別体に設けられた外部の入力機器から入力される指示に対応する電気信号を受け取り、この電気信号を処理回路１１へ出力する回路も入力インタフェース１２の例に含まれる。
【００１９】
出力インタフェース１３は、例えば、表示機器、及び印刷機器等により実現される。表示機器としては、例えば、ＣＲＴディスプレイ、液晶ディスプレイ、有機ＥＬディスプレイ、ＬＥＤディスプレイ、及びプラズマディスプレイ等、任意のディスプレイが適宜利用可能である。表示機器は、表示対象についての画像データを表示する。印刷機器は、例えば、プリンタである。印刷機器は、印刷対象についての画像データを所定用紙に印刷する。なお、出力インタフェース１３は、表示機器、及び印刷機器等の物理的な出力部品を備えるものだけに限られない。例えば、レポート作成装置１とは別体に設けられた外部の出力機器へ画像データを送信する回路も出力インタフェース１３の例に含まれる。
【００２０】
通信インタフェース１４は、ＬＡＮを介して接続されたレポート作成サーバ２、及び画像サーバ３との間でデータ通信を行う。レポート作成サーバ２、及び画像サーバ３との通信は、予め設定されている既知の規格に準拠して行われる。
【００２１】
記憶回路１５は、種々の情報を記憶するＨＤＤ（hard disk drive）、ＳＳＤ（solid state drive）、及び集積回路記憶装置等の記憶装置である。また、記憶回路１５は、ＣＤ−ＲＯＭドライブ、ＤＶＤドライブ、及びフラッシュメモリ等の可搬性記憶媒体との間で種々の情報を読み書きする駆動装置等であっても良い。なお、記憶回路１５は、必ずしも単一の記憶装置により実現される必要は無い。例えば、記憶回路１５は、複数の記憶装置により実現されても構わない。
【００２２】
記憶回路１５は、本実施形態に係る処理プログラム等を記憶している。また、記憶回路１５は、印刷様式に関する情報１５１を記憶している。印刷様式に関する情報１５１には、レイアウト情報、及び文字に関する情報等が含まれる。レイアウト情報は、読影レポートを印刷する際に、読影レポートに含まれる各項目を所定の位置に配置させるための情報である。印刷様式に関する情報１５１は、例えば、ファイル形式で記憶回路１５に記憶されている。
【００２３】
図２に示される処理回路１１は、記憶回路１５に記憶されている処理プログラムを実行することで、当該プログラムに対応する機能を実現する。例えば、処理回路１１は、処理プログラムを実行することで、作成指示機能１１１、印刷確認機能１１２、解析機能１１３、判定機能１１４、通知機能１１５、及び提示機能１１６を有する。なお、本実施形態では、単一のプロセッサによって作成指示機能１１１、印刷確認機能１１２、解析機能１１３、判定機能１１４、通知機能１１５、及び提示機能１１６が実現される場合を説明するが、これに限定されない。例えば、複数の独立したプロセッサを組み合わせて処理回路を構成し、各プロセッサが処理プログラムを実行することにより作成指示機能１１１、印刷確認機能１１２、解析機能１１３、判定機能１１４、通知機能１１５、及び提示機能１１６を実現しても構わない。
【００２４】
作成指示機能１１１は、読影レポートを作成する際にレポート作成サーバ２へ指示を与える機能である。具体的には、例えば、処理回路１１は、読影医から読影レポートの作成が指示されると作成指示機能１１１を実行する。作成指示機能１１１を実行すると処理回路１１は、読影医の指示に従って読影レポートを作成するように、レポート作成サーバ２へ指示信号を送信する。処理回路１１は、読影医から読影レポートについての情報が入力されると、入力された情報をレポート作成サーバ２へ送信する。また、処理回路１１は、レポート作成サーバ２によって読影レポートに予め書き込まれた情報、及び読影医により入力された情報を記憶回路１５に記憶する。このとき記憶回路１５に記憶される情報には、例えば、患者ＩＤ、患者氏名、生年月日、年齢、性別、検査日、検査で用いられた医用画像診断装置の種別、依頼科、及び依頼医師、所見情報、及び添付された画像データに関する情報等が含まれる。
【００２５】
印刷確認機能１１２は、作成された読影レポートに基づき、プレビューデータを作成する機能である。具体的には、例えば、処理回路１１は、読影医からプレビューを作成する旨の指示を受け付けると、印刷確認機能１１２を実行する。印刷確認機能１１２を実行すると処理回路１１は、記憶回路１５に記憶されている印刷様式に関する情報１５１と、作成された読影レポートとに基づき、印刷様式に則ったプレビューデータを作成する。なお、プレビューデータは、読影レポートが印刷される際の印刷レイアウトをデジタル形式で保存したデータと換言できる。処理回路１１は、作成したプレビューデータを、出力インタフェース１３として設けられた表示機器にプレビュー画像として表示する。
【００２６】
解析機能１１３は、作成されたプレビューデータを解析する機能である。具体的には、例えば、処理回路１１は、プレビューデータを作成すると、解析機能１１３を実行する。解析機能１１３を実行すると処理回路１１は、作成したプレビューデータを、記憶回路１５に記憶されている印刷様式に関する情報１５１を利用して解析し、プレビューデータに含まれる種々の情報を取得する。
【００２７】
判定機能１１４は、作成された読影レポートが正常に印刷されるか否かを判定する機能である。具体的には、例えば、処理回路１１は、プレビューデータに含まれる情報を取得すると、判定機能１１４を実行する。判定機能１１４を実行すると処理回路１１は、プレビューデータから取得した情報と、読影レポートの作成時に読影医により入力された情報とを照合することで、読影レポートが正常に印刷されるか否かを判断する。
【００２８】
通知機能１１５は、作成された読影レポートが正常に印刷されないことを読影医へ通知する機能である。具体的には、例えば、処理回路１１は、読影レポートが正常に印刷されないと判断すると、通知機能１１５を実行する。通知機能１１５を実行すると処理回路１１は、読影レポートが正常に印刷されない旨を、読影医へ通知する。
【００２９】
提示機能１１６は、印刷が正常に実施されない原因を読影医に提示する機能である。具体的には、例えば、処理回路１１は、読影レポートが正常に実施されないと判断すると、提示機能１１６を実行する。提示機能１１６を実行すると処理回路１１は、印刷が正常に実施されない原因を読影医に提示する。
【００３０】
次に、以上のように構成されるレポート作成装置１の動作について詳細に説明する。図３は、図２に示されるレポート作成装置１が、レポート作成サーバ２を介して読影レポートを作成する際の動作の例を表すフローチャートである。
【００３１】
まず、レポート作成サーバ２は、電子カルテサーバから、読影レポートを作成する旨のオーダ情報、及び読影レポートの対象となる患者の患者情報を受信する。オーダ情報には、例えば、対象となる検査の検査情報、及び依頼元情報等が含まれる。検査情報には、例えば、検査日、検査で用いられた医用画像診断装置の種別等が含まれる。依頼元情報には、例えば、依頼科、及び依頼医師等が含まれる。また、患者情報には、例えば、患者ＩＤ、患者氏名、生年月日、年齢、性別等が含まれる。なお、オーダ情報には、医用画像を特定するための情報が含まれていても構わない。
【００３２】
レポート作成サーバ２は、オーダ情報、及び患者情報を受信すると、読影レポートの対象となる患者情報、検査情報、及び依頼元情報等が書き込まれた読影レポートを作成する。読影レポートに書き込まれる患者情報、検査情報、及び依頼元情報には、例えば、対象となる患者の患者ＩＤ、患者氏名、生年月日、年齢、性別、検査日、検査で用いられた医用画像診断装置の種別、依頼科、及び依頼医師等が含まれる。
【００３３】
読影医は、レポート作成装置１を介し、レポート作成サーバ２で管理される読影レポートのオーダを確認する。レポート作成サーバ２に未実行の読影オーダが存在する場合、読影医は、未実施の読影オーダを選択する。レポート作成装置１の処理回路１１は、読影医により未実施の読影オーダが選択されると、作成指示機能１１１を実行する。作成指示機能１１１を実行すると処理回路１１は、読影レポートの作成開始を指示する指示信号をレポート作成サーバ２へ送信する（ステップＳ３１）。
【００３４】
レポート作成サーバ２は、レポート作成装置１から送信される指示信号を受信すると、所定の情報を書き込んだ読影レポートへ必要事項を入力するためのレポート作成画面についての表示データをレポート作成装置１へ送信する。
【００３５】
レポート作成装置１は、レポート作成サーバ２から送信される表示データを受信する。レポート作成装置１の処理回路１１は、受信した表示データに基づくレポート作成画面を出力インタフェース１３として設けられた表示機器に表示させる（ステップＳ３２）。レポート作成画面では、例えば、患者ＩＤ、患者氏名、生年月日、年齢、及び性別が表示される患者情報表示欄、検査日及び検査種別が表示される検査情報表示欄、依頼科及び依頼医師等が表示される依頼元情報表示欄、所見入力欄、定型文選択ボタン、並びに、キー画像添付欄等が表示される。処理回路１１は、レポート作成画面の患者情報表示欄、検査情報表示欄、及び依頼元情報表示欄で表示されている、患者ＩＤ、患者氏名、生年月日、年齢、性別、検査日、検査で用いられた医用画像診断装置の種別、依頼科、及び依頼医師等の情報を記憶回路１５に記憶する（ステップＳ３３）。
【００３６】
レポート作成画面が表示されると、読影医は、レポート作成装置１の入力インタフェース１２を介し、対象となる検査についての医用画像の表示要求を入力する。レポート作成装置１の処理回路１１は、読影医が所望する医用画像を画像サーバ３に対して要求する（ステップＳ３４）。
【００３７】
画像サーバ３は、レポート作成装置１から送信される要求信号を受信すると、記憶されている画像ファイルから、対象となる検査についての画像ファイルを検索する。このとき、検索キーとしては、例えば、患者ＩＤ、検査ＵＩＤ、及びシリーズＵＩＤ等が用いられる。画像サーバ３は、検索により取得した画像ファイルをレポート作成装置１へ送信する。
【００３８】
レポート作成装置１は、画像サーバ３から送信される画像ファイルを受信する。レポート作成装置１の処理回路１１は、受信した画像ファイルに基づく医用画像を出力インタフェース１３として設けられた表示機器に表示させる（ステップＳ３５）。
【００３９】
医用画像が表示されると、読影医は、表示された医用画像を読影し、必要事項を、表示されたレポート作成画面へ書き込む。また、読影医は、必要な医用画像を、表示されたレポート作成画面に添付する。レポート作成装置１の処理回路１１は、読影医により入力された情報を記憶回路１５に記憶する（ステップＳ３６）。具体的には、処理回路１１は、読影医によりレポート作成画面で入力される所見情報を記憶回路１５に記憶する。また、処理回路１１は、読影医によりレポート作成画面で添付される医用画像の添付数、及び医用画像の画像サイズを記憶回路１５に記憶する。
【００４０】
図４は、図２に示されるレポート作成装置１の記憶回路１５に記憶される情報の例を表す模式図である。図４によれば、記憶回路１５に記憶される情報には、患者ＩＤ、患者氏名、生年月日、年齢、性別、検査日、検査で用いられた医用画像診断装置の種別、依頼科、及び依頼医師、所見情報、添付された医用画像の添付数、及び医用画像の画像サイズが含まれる。
【００４１】
レポート作成装置１の処理回路１１は、レポート作成画面に対して入力された情報をレポート作成サーバ２へ送信する（ステップＳ３７）。
【００４２】
レポート作成サーバ２は、レポート作成装置１から送信された情報を受信すると、受信した情報を記憶する。
【００４３】
続いて、レポート作成装置１の処理回路１１は、読影レポートの内容が確定したか否かを判断する（ステップＳ３８）。レポート作成画面には、読影レポートの内容が確定したことを表す「確定」ボタンが表示されている。読影医は、レポート作成画面に表示されている内容を確定させる場合、「確定」ボタンをクリックする。「確定」ボタンがクリックされると、処理回路１１は、読影レポートの内容が確定されたと判断し（ステップＳ３８のＹｅｓ）、読影レポートの内容が確定したことを表す確定信号をレポート作成サーバ２へ送信し（ステップＳ３９）、処理を終了させる。読影医が「確定」ボタンをクリックしない場合、処理回路１１は、読影レポートの内容が確定されていないと判断し（ステップＳ３８のＮｏ）、処理をステップＳ３６へ移行する。
【００４４】
次に、レポート作成装置１が、読影レポートが正しく印刷されるか否かを確認する動作について説明する。図５は、図２に示されるレポート作成装置１が、読影レポートが正しく印刷されるか否かを確認する際の動作の例を表すフローチャートである。なお、図５では、レポート作成装置１が、読影医から入力される印刷確認指示をトリガとして動作を開始する場合を例に説明する。しかしながら、これに限定されない。トリガとなる入力は、任意に設定可能である。例えば、選択された１つの読影レポートについての印刷指示がトリガとなってもよいし、所定の１日の間に作成された複数の読影レポートについての印刷指示がトリガになってもよい。
【００４５】
図５において、まず、読影医によりレポート作成画面に表示されている「印刷確認」ボタンがクリックされると、レポート作成装置１からレポート作成サーバ２へプレビュー信号が送信される（ステップＳ５１）。
【００４６】
レポート作成サーバ２は、レポート作成装置１から送信されるプレビュー信号を受信すると、作成した読影レポートについての情報をレポート作成装置１へ送信する。
【００４７】
レポート作成装置１は、レポート作成サーバ２から送信される読影レポートについての情報を受信する。レポート作成装置１の処理回路１１は、読影レポートについての情報を受信すると印刷確認機能１１２を実行する。印刷確認機能１１２を実行すると処理回路１１は、受信した読影レポートの情報に基づき、印刷様式に則った形式の画像、すなわちプレビューデータを作成する（ステップＳ５２）。
【００４８】
具体的には、処理回路１１は、記憶回路１５から印刷様式に関する情報１５１、すなわち、レイアウト情報、及び文字に関する情報を読み出す。
【００４９】
レイアウト情報には、読影レポートに入力された情報を表示する複数の領域を配置するための情報等が含まれる。情報を表示する領域としては、例えば、患者情報領域、タイトル領域、関連情報領域、所見情報領域、及び画像添付領域が想定可能である。患者情報領域は、患者ＩＤ、患者氏名、生年月日、年齢、性別等の患者情報を表示する領域である。タイトル領域は、「検査報告書」等の読影レポートのタイトルを表示する領域である。関連情報領域は、検査日、検査で用いられた医用画像診断装置の種別、依頼科、及び依頼医師等の情報を表示する領域である。所見情報領域は、所見情報を表示する領域である。画像添付領域は、医用画像を添付する領域である。これらの領域を配置するための情報としては、例えば、印刷用紙の左上角を座標（０，０）としたときに各領域を形成する４点の座標点が想定可能である。文字に関する情報としては、書体、サイズ、行間隔、及び折り返し条件が想定可能である。
【００５０】
処理回路１１は、読み出したレイアウト情報に基づき、例えば、患者情報領域、タイトル領域、関連情報領域、所見情報領域、及び画像添付領域を設定する。処理回路１１は、所定の書体、サイズ、行間隔、折り返し条件で、患者情報領域に、受信した読影レポートに記載される患者ＩＤ、患者氏名、生年月日、年齢、性別等の患者情報を書き込む。また、処理回路１１は、所定の書体、サイズ、行間隔、折り返し条件で、タイトル領域に、「検査報告書」等をタイトルとして書き込む。また、処理回路１１は、所定の書体、サイズ、行間隔、折り返し条件で、関連情報領域に、受信した読影レポートに記載される検査日、検査で用いられた医用画像診断装置の種別、依頼科、及び依頼医師等の情報を書き込む。また、処理回路１１は、所定の書体、サイズ、行間隔、折り返し条件で、所見情報領域に、受信した読影レポートに記載される所見情報を書き込む。また、処理回路１１は、画像添付領域に、受信した読影レポートで添付される医用画像を添付する。図６は、図２に示される処理回路１１により作成されたプレビューデータの模式図の例を表す図である。
【００５１】
処理回路１１は、プレビューデータを作成すると解析機能１１３を実行する。解析機能１１３を実行すると処理回路１１は、作成したプレビューデータを、記憶回路１５に記憶されているレイアウト情報を利用して解析する（ステップＳ５３）。
【００５２】
具体的には、処理回路１１は、記憶回路１５からレイアウト情報を読み出す。処理回路１１は、読み出したレイアウト情報に基づき、例えば、患者情報領域、タイトル領域、関連情報領域、所見情報領域、及び画像添付領域を設定する。例えば、処理回路１１は、印刷用紙の左端から１５ｃｍ、及び上端から７．５ｃｍからマージンを差し引いた領域を患者情報領域とする。
【００５３】
処理回路１１は、設定した各領域、すなわち、患者情報領域、タイトル領域、関連情報領域、及び所見情報領域に記載されている文字、及び数字を、例えば、所定の文字認識プログラムを利用して読み込む。処理回路１１は、関連情報領域から読み取った情報を「印刷時の患者情報」として記憶回路１５に記憶する。また、処理回路１１は、タイトル領域から読み取った情報を「印刷時のタイトル情報」として記憶回路１５に記憶する。また、処理回路１１は、関連情報領域から読み取った情報を「印刷時の関連情報」として記憶回路１５に記憶する。また、処理回路１１は、所見情報領域から読み取った情報を「印刷時の所見情報」として記憶回路１５に記憶する。
【００５４】
また、処理回路１１は、画像添付領域に添付されている医用画像を読み込む。処理回路１１は、読み取った図形の数を「印刷時の添付数」として記憶回路１５に記憶する。また、処理回路１１は、ｄｐｉ（Dots Per Inch）単位で読み取った図形の縦横長さをピクセル単位に変換する。処理回路１１は、ピクセル単位に変換した図形の縦横長さを「印刷時の画像サイズ」として記憶回路１５に記憶する。
【００５５】
処理回路１１は、プレビューデータに含まれる各領域における情報を取得すると、判定機能１１４を実行する。判定機能１１４を実行すると処理回路１１は、読影レポートの作成時に入力された情報を参照し、読影レポートが正常に印刷されるか否かを判定する。
【００５６】
具体的には、処理回路１１は、図４に示される、読影レポート作成時に入力された情報を、記憶回路１５から読み出す。処理回路１１は、記憶回路１５から読み出した情報と、ステップＳ５３で取得した情報とを比較する（ステップＳ５４）。例えば、処理回路１１は、記憶回路１５から読み出された患者ＩＤ、患者氏名、生年月日、年齢、及び性別と、「印刷時の患者情報」とを比較する。また、処理回路１１は、記憶回路１５から読み出された検査日、種別、依頼科、及び依頼医師と、「印刷時の関連情報」とを比較する。また、処理回路１１は、記憶回路１５から読み出された所見情報と、「印刷時の所見情報」とを比較する。また、処理回路１１は、記憶回路１５から読み出された添付数と、「印刷時の添付数」とを比較する。また、処理回路１１は、記憶回路１５から読み出された画像サイズと、「印刷時の画像サイズ」とを比較する。
【００５７】
処理回路１１は、記憶回路１５から読み出した情報と、ステップＳ５３で取得した情報との比較結果に基づき、印刷が正常にされるか否かを判断する（ステップＳ５５）。例えば、記憶回路１５から読み出された全ての情報が、「印刷時の患者情報」、「印刷時の関連情報」、「印刷時の所見情報」、「印刷時の添付数」、及び「印刷時の画像サイズ」と一致する場合、処理回路１１は、印刷が正常にされると判断する（ステップＳ５５のＹｅｓ）。
【００５８】
一方、記憶回路１５から読み出された患者ＩＤ、患者氏名、生年月日、年齢、及び性別のうち少なくともいずれかが、「印刷時の患者情報」に含まれる情報と一致しない場合、処理回路１１は、印刷が正常にされないと判断する（ステップＳ５５のＮｏ）。また、記憶回路１５から読み出された検査日、種別、依頼科、及び依頼医師のうち少なくともいずれかが、「印刷時の関連情報」に含まれる情報と一致しない場合、処理回路１１は、印刷が正常にされないと判断する（ステップＳ５５のＮｏ）。また、記憶回路１５から読み出された所見情報が、「印刷時の所見情報」と一致しない場合、処理回路１１は、印刷が正常にされないと判断する（ステップＳ５５のＮｏ）。また、記憶回路１５から読み出された添付数が「印刷時の添付数」と一致しない場合、処理回路１１は、印刷が正常にされないと判断する（ステップＳ５５のＮｏ）。また、記憶回路１５から読み出された画像サイズが「印刷時の画像サイズ」と一致しない場合、処理回路１１は、印刷が正常にされないと判断する（ステップＳ５５のＮｏ）。
【００５９】
印刷が正常にされると判断した場合（ステップＳ５５のＹｅｓ）、処理回路１１は、処理を終了させる。一方、印刷が正常にされないと判断した場合（ステップＳ５５のＮｏ）、処理回路１１は、通知機能１１５を実行する。通知機能１１５を実行すると処理回路１１は、記憶回路１５から読み出した情報と、読み取った情報が一致しなかった領域について、印刷が正常に実施されない旨を、読影医へ通知する（ステップＳ５６）。
【００６０】
具体的には、ステップＳ５４において、記憶回路１５から読み出された患者ＩＤ、患者氏名、生年月日、年齢、及び性別のうち少なくともいずれかが、「印刷時の患者情報」に含まれる情報と一致しない場合、処理回路１１は、患者情報領域の印刷が正常に実施されない旨を読影医へ通知する。また、記憶回路１５から読み出された検査日、種別、依頼科、及び依頼医師のうち少なくともいずれかが、「印刷時の関連情報」に含まれる情報と一致しない場合、処理回路１１は、関連情報領域の印刷が正常に実施されない旨を読影医へ通知する。また、記憶回路１５から読み出された所見情報が、「印刷時の所見情報」と一致しない場合、処理回路１１は、所見情報領域の印刷が正常に実施されない旨を読影医へ通知する。また、記憶回路１５から読み出された添付数が「印刷時の添付数」と一致しない場合、処理回路１１は、画像添付領域の印刷が正常に実施されない旨を読影医へ通知する。また、記憶回路１５から読み出された画像サイズが「印刷時の画像サイズ」と一致しない場合、処理回路１１は、患者情報領域の印刷が正常に実施されない旨を読影医へ通知する。
【００６１】
読影医への通知は、例えば、印刷が正常に実施されない旨を、出力インタフェース１３として設けられる表示機器に表示させることで実現される。また、読影医への通知は、通信インタフェース１４を介し、読影医が所持するＰＨＳ等の携帯端末へＥメールを送信することで実現されてもよい。
【００６２】
処理回路１１は、印刷が正常に実施されない旨を通知すると、提示機能１１６を実行する。提示機能１１６を実行すると処理回路１１は、記憶回路１５に記憶されている印刷様式に関する情報１５１に問題があると推定する。処理回路１１は、推定した問題を読影医へ提示する（ステップＳ５７）。例えば、処理回路１１は、推定した問題を、出力インタフェース１３として設けられる表示機器に表示させる。なお、処理回路１１は、推定した問題を、通信インタフェース１４を介し、読影医が所持するＰＨＳ等の携帯端末へＥメールで通知してもよい。
【００６３】
以上のように、第１の実施形態では、レポート作成装置１、及びレポート作成サーバ２により、読影レポートが作成される。レポート作成装置１は、読影レポートの作成時に入力される情報を記憶する。レポート作成装置１は、読影レポートの作成が完了すると、作成した読影レポートを印刷様式に則った形式のプレビューデータに変換する。レポート作成装置１は、プレビューデータを解析し、プレビューデータに含まれている情報を取得する。そして、レポート作成装置１は、取得した情報と、読影レポートの作成時に記憶した情報とを照合し、印刷が正常にされるか否かを判断する。これにより、レポート作成装置１は、印刷する読影レポートにおける情報の欠落を、事前に読影医へ通知することが可能となる。
【００６４】
したがって、第１の実施形態に係るレポート作成装置１によれば、読影レポートを印刷する際の情報の欠落を防ぐことができる。
【００６５】
また、第１の実施形態では、レポート作成装置１は、印刷が正常にされない場合、その原因を提示するようにしている。これにより、読影医は、印刷が正常に実施されない原因を、労力を払わずに発見することが可能となる。
【００６６】
なお、上記実施形態では、レポート作成装置１から入力される情報に基づき、レポート作成サーバ２で読影レポートが作成される場合を例に説明したが、これに限定されない。レポート作成サーバ２におけるレポート作成の機能は、レポート作成装置１に設けられても構わない。
【００６７】
（第２の実施形態）  
第１の実施形態では、レポート作成装置１が、プレビューデータから読み取った情報と、読影レポートの作成時に記憶した情報とを照合することで、印刷が正常にされるか否かを判断する場合を例に説明した。第２の実施形態では、実際に印刷した読影レポートから所定の情報を読み取り、読み取った情報と、読影レポートの作成時に記憶した情報とを照合することで、印刷が正常にされたか否かを判断する場合について説明する。
【００６８】
図７は、第２の実施形態に係るレポート作成システム４の機能構成の例を表すブロック図である。図７に示されるレポート作成システム４は、レポート作成装置１Ｂ、印刷装置４１、及び読取装置４２を具備する。印刷装置４１、及び読取装置４２は、有線、又は無線により、レポート作成装置１Ｂと接続している。レポート作成装置１Ｂは、ＬＡＮ等の病院内ネットワークへ接続される。
【００６９】
レポート作成装置１Ｂは、例えば、放射線科の読影医が医用画像の読影レポートを作成するための装置である。レポート作成装置１Ｂは、例えば、ＰＡＣＳを構成するＰＣ端末により実現される。なお、レポート作成装置１は、放射線部門情報管理システム（ＲＩＳ：Radiology Information System）を構成するＰＣ端末により実現されてもよい。
【００７０】
レポート作成装置１Ｂは、読影医から入力される、読影レポートを作成する旨の指示信号をレポート作成サーバ２へ送信することで、レポート作成サーバ２に読影レポートを作成させる。レポート作成装置１Ｂは、読影レポートを作成する際に必要となる医用画像を、画像サーバ３に対して要求する。
【００７１】
レポート作成装置１Ｂは、印刷装置４１から印刷された医用文書が読取装置４２で読み取られた画像情報に基づき、印刷が正常に実施されたか否かを判断する。
【００７２】
印刷装置４１は、レポート作成装置１Ｂ、及びレポート作成サーバ２で作成された読影レポートに基づき、医用文書を印刷する装置である。具体的には、例えば、印刷装置４１は、入力インタフェース４１２により、レポート作成装置１Ｂから送信される、印刷様式に則った印刷データを受信する。印刷装置４１は、処理回路４１１の変換機能４１１１により、印刷データを印刷可能なフォーマットに変換する。印刷装置４１は、フォーマット変換後の印刷データに基づき、印刷回路４１３から医用文書を印刷する。
【００７３】
読取装置４２は、印刷装置４１で印刷された医用文書を読み取る装置である。読取装置４２は、例えば、印刷装置４１から印刷出力された医用文書を読み取り可能な位置に設けられる。読取装置４２は、印刷された医用文書の画像情報を読み取る。読取装置４２は、読み取った画像情報を、レポート作成装置１Ｂへ送信可能な形式に変換する。読取装置４２は、形式変換後の画像情報をレポート作成装置１Ｂへ送信する。
【００７４】
図７に示されるレポート作成装置１Ｂは、処理回路１１Ｂ、入力インタフェース１２Ｂ、出力インタフェース１３Ｂ、通信インタフェース１４、及び記憶回路１５Ｂを有する。処理回路１１Ｂ、入力インタフェース１２Ｂ、出力インタフェース１３Ｂ、通信インタフェース１４、及び記憶回路１５Ｂは、例えば、バスを介して互いに通信可能に接続されている。
【００７５】
処理回路１１Ｂは、レポート作成装置１Ｂの中枢として機能するプロセッサである。処理回路１１Ｂは、記憶回路１５Ｂ等に記憶されている処理プログラムを実行することにより、当該プログラムに対応する機能を実現する。
【００７６】
入力インタフェース１２Ｂは、マウス、及びキーボード等の物理的な操作部品を備える。また、入力インタフェース１２Ｂは、読取装置４２から送信される読取データを受信し、この読取データを処理回路１１Ｂへ出力する回路を備える。
【００７７】
出力インタフェース１３Ｂは、予め設定された通信規格に則って印刷装置４１と通信する回路を備える。出力インタフェース１３Ｂは、印刷対象の画像データを印刷装置４１へ送信する。
【００７８】
記憶回路１５Ｂは、種々の情報を記憶するＨＤＤ、ＳＳＤ、及び集積回路記憶装置等の記憶装置である。また、記憶回路１５Ｂは、ＣＤ−ＲＯＭドライブ、ＤＶＤドライブ、及びフラッシュメモリ等の可搬性記憶媒体との間で種々の情報を読み書きする駆動装置等であっても良い。記憶回路１５Ｂは、本実施形態に係る処理プログラム等を記憶している。また、記憶回路１５Ｂは、印刷様式に関する情報１５１を記憶している。
【００７９】
また、記憶回路１５Ｂは、訂正様式に関する情報１５２を記憶している。訂正様式に関する情報１５２には、レイアウト情報、及び文字に関する情報等が含まれる。訂正様式のレイアウト情報は、後述する訂正書面の配置に関する情報である。訂正様式のレイアウトは、印刷様式のレイアウトとは異なる。訂正様式に関する情報１５２は、例えば、ファイル形式で記憶回路１５Ｂに記憶されている。
【００８０】
図７に示される処理回路１１Ｂは、記憶回路１５Ｂに記憶されている処理プログラムを実行することで、当該プログラムに対応する機能を実現する。例えば、処理回路１１Ｂは、処理プログラムを実行することで、作成指示機能１１１、解析機能１１３Ｂ、判定機能１１４、通知機能１１５、提示機能１１６Ｂ、作成機能１１７、及び訂正書面作成機能１１８を有する。なお、本実施形態では、単一のプロセッサによって作成指示機能１１１、解析機能１１３Ｂ、判定機能１１４、通知機能１１５、提示機能１１６Ｂ、作成機能１１７、及び訂正書面作成機能１１８が実現される場合を説明するが、これに限定されない。例えば、複数の独立したプロセッサを組み合わせて処理回路を構成し、各プロセッサが処理プログラムを実行することにより作成指示機能１１１、解析機能１１３Ｂ、判定機能１１４、通知機能１１５、提示機能１１６Ｂ、作成機能１１７、及び訂正書面作成機能１１８を実現しても構わない。
【００８１】
作成機能１１７は、作成された読影レポートを印刷様式へ変換する機能である。具体的には、例えば、処理回路１１Ｂは、読影医から印刷の指示を受け付けると、作成機能１１７を実行する。作成機能１１７を実行すると処理回路１１Ｂは、記憶回路１５Ｂに記憶されている印刷様式に関する情報１５１と、作成された読影レポートとに基づき、印刷様式に則った印刷データを作成する。処理回路１１Ｂは、作成した印刷データを、出力インタフェース１３Ｂから印刷装置４１へ出力する。
【００８２】
解析機能１１３Ｂは、読取装置４２から送信される画像情報を解析する機能である。具体的には、例えば、処理回路１１Ｂは、入力インタフェース１２Ｂを介して読取装置４２から画像情報を受信すると、解析機能１１３Ｂを実行する。解析機能１１３Ｂを実行すると処理回路１１Ｂは、受信した画像情報を、記憶回路１５Ｂに記憶されている印刷様式に関する情報１５１を利用して解析し、画像情報に含まれる種々の情報を取得する。
【００８３】
提示機能１１６Ｂは、印刷が正常に実施されなかった原因を読影医に提示する機能である。具体的には、例えば、処理回路１１Ｂは、医用文書が正常に実施されていないと判断すると、提示機能１１６Ｂを実行する。提示機能１１６Ｂを実行すると処理回路１１Ｂは、印刷が正常に実施されなかった原因を読影医に提示する。
【００８４】
訂正書面作成機能１１８は、印刷が正常に実施されなかった医用文書についての訂正書面を作成する機能である。具体的には、例えば、処理回路１１Ｂは、医用文書が正常に実施されなかったと判断すると、訂正書面作成機能１１８を実行する。訂正書面作成機能１１８を実行すると処理回路１１Ｂは、医用文書において正常に印刷されなかった領域に記載されている情報を含む訂正書面を、固有の様式に則って作成する。
【００８５】
次に、以上のように構成されるレポート作成装置１Ｂの動作について詳細に説明する。図８は、図７に示されるレポート作成装置１Ｂが、医用文書が正しく印刷されたか否かを確認する際の動作の例を表すフローチャートである。なお、図８では、レポート作成装置１Ｂが、読影医から入力される印刷指示をトリガとして動作を開始する場合を例に説明する。しかしながら、これに限定されない。トリガとなる入力は、任意に設定可能である。例えば、所定の１日の間に作成された複数の読影レポートについての印刷指示がトリガになってもよい。
【００８６】
図８において、まず、読影医によりレポート作成画面に表示されている「印刷」ボタンがクリックされると、レポート作成装置１Ｂからレポート作成サーバ２へ印刷信号が送信される（ステップＳ８１）。
【００８７】
レポート作成サーバ２は、レポート作成装置１Ｂから送信されるプレビュー信号を受信すると、作成した読影レポートについての情報をレポート作成装置１Ｂへ送信する。
【００８８】
レポート作成装置１Ｂは、レポート作成サーバ２から送信される読影レポートについての情報を受信する。レポート作成装置１Ｂの処理回路１１Ｂは、読影レポートについての情報を受信すると作成機能１１７を実行する。作成機能１１７を実行すると処理回路１１Ｂは、受信した読影レポートの情報に基づき、印刷様式に則った形式の画像、すなわち印刷データを作成する（ステップＳ８２）。なお、印刷データは、第１の実施形態で示されるプレビューデータと同様の処理により作成される。
【００８９】
処理回路１１Ｂは、印刷データを作成すると、作成した印刷データを、出力インタフェース１３Ｂから印刷装置４１へ送信する（ステップＳ８３）。印刷装置４１は、印刷データを受信すると、受信した印刷データを印刷可能なフォーマットに変換する。印刷装置４１は、フォーマット変換後の印刷データに基づいて医用文書を印刷する。
【００９０】
読取装置４２は、印刷装置４１で印刷された医用文書の画像情報を読み取る。読取装置４２は、読み取った画像情報を、所定の形式に変換し、レポート作成装置１Ｂへ送信する。
【００９１】
なお、読取装置４２は、文字認識機能を有していても構わない。このとき、読取装置４２は、読み取った画像情報に文字認識処理を施し、画像情報に含まれる文字についてのテキストデータを作成する。そして、読取装置４２は、読み取った画像情報を、テキストデータを付してレポート作成装置１Ｂへ送信する。ただし、解析機能１１３が文字認識機能を備えている場合には、読取装置４２に文字認識機能を設ける必要はない。
【００９２】
レポート作成装置１Ｂは、読取装置４２から送信される画像情報を受信する（ステップＳ８４）。レポート作成装置１Ｂの処理回路１１Ｂは、画像情報を受信すると解析機能１１３Ｂを実行する。解析機能１１３Ｂを実行すると処理回路１１Ｂは、受信した画像情報を、記憶回路１５Ｂに記憶されているレイアウト情報を利用して解析する（ステップＳ８５）。
【００９３】
具体的には、処理回路１１Ｂは、記憶回路１５Ｂからレイアウト情報を読み出す。処理回路１１Ｂは、読み出したレイアウト情報に基づき、例えば、患者情報領域、タイトル領域、関連情報領域、所見情報領域、及び画像添付領域を設定する。
【００９４】
処理回路１１Ｂは、設定した各領域、すなわち、患者情報領域、タイトル領域、関連情報領域、及び所見情報領域に記載されている文字、及び数字を、例えば、所定の文字認識プログラムを利用して読み込む。処理回路１１Ｂは、関連情報領域から読み取った情報を「印刷された患者情報」、タイトル領域から読み取った情報を「印刷されたタイトル情報」、関連情報領域から読み取った情報を「印刷された関連情報」、及び所見情報領域から読み取った情報を「印刷された所見情報」として記憶回路１５Ｂに記憶する。
【００９５】
また、処理回路１１Ｂは、画像添付領域に添付されている医用画像を読み込む。処理回路１１Ｂは、読み取った図形の数を「印刷された添付数」、読み取った図形の縦横長さを「印刷された画像サイズ」として記憶回路１５Ｂに記憶する。
【００９６】
また、処理回路１１Ｂは、患者情報領域、タイトル領域、関連情報領域、所見情報領域、及び画像添付領域以外の領域、すなわち、文字等が印刷されないはずのマージン領域における印刷を検出する。処理回路１１Ｂは、マージン領域に文字、数字、及び汚れ等がある場合、その旨を表す判別フラグを記憶回路１５Ｂに記憶する。
【００９７】
また、処理回路１１Ｂは、患者情報領域、タイトル領域、関連情報領域、及び所見情報領域において、識別することが不可能な文字、及び数字を検出する。処理回路１１Ｂは、識別することが不可能であった文字、及び数字の数を記憶回路１５Ｂに記憶する。
【００９８】
処理回路１１Ｂは、画像情報に含まれる各領域における情報を取得すると、判定機能１１４を実行する。判定機能１１４を実行すると処理回路１１Ｂは、読影レポートの作成時に入力された情報を参照し、医用文書が正常に印刷されたか否かを判定する。
【００９９】
具体的には、処理回路１１Ｂは、読影レポート作成時に入力された情報を記憶回路１５Ｂから読み出す。処理回路１１Ｂは、記憶回路１５Ｂから読み出した情報と、ステップＳ８５で取得した情報とを比較する（ステップＳ８６）。例えば、処理回路１１Ｂは、記憶回路１５Ｂから読み出された患者ＩＤ、患者氏名、生年月日、年齢、及び性別と、「印刷された患者情報」とを比較する。また、処理回路１１Ｂは、記憶回路１５Ｂから読み出された検査日、種別、依頼科、及び依頼医師と、「印刷された関連情報」とを比較する。また、処理回路１１Ｂは、記憶回路１５Ｂから読み出された所見情報と、「印刷された所見情報」とを比較する。また、処理回路１１Ｂは、記憶回路１５Ｂから読み出された添付数と、「印刷された添付数」とを比較する。また、処理回路１１Ｂは、記憶回路１５Ｂから読み出された画像サイズと、「印刷された画像サイズ」とを比較する。
【０１００】
処理回路１１Ｂは、記憶回路１５Ｂから読み出した情報と、ステップＳ８５で取得した情報との比較結果に基づき、印刷が正常にされるか否かを判断する（ステップＳ８７）。例えば、記憶回路１５Ｂから読み出された全ての情報が、「印刷された患者情報」、「印刷された関連情報」、「印刷された所見情報」、「印刷された添付数」、及び「印刷された画像サイズ」と一致する場合、処理回路１１Ｂは、印刷が正常にされたと判断する（ステップＳ８７のＹｅｓ）。
【０１０１】
一方、記憶回路１５Ｂから読み出された患者ＩＤ、患者氏名、生年月日、年齢、及び性別のうち少なくともいずれかが、「印刷された患者情報」に含まれる情報と一致しない場合、処理回路１１Ｂは、印刷が正常にされなかったと判断する（ステップＳ８７のＮｏ）。また、記憶回路１５Ｂから読み出された検査日、種別、依頼科、及び依頼医師のうち少なくともいずれかが、「印刷された関連情報」に含まれる情報と一致しない場合、処理回路１１Ｂは、印刷が正常にされなかったと判断する（ステップＳ８７のＮｏ）。また、記憶回路１５Ｂから読み出された所見情報が、「印刷された所見情報」と一致しない場合、処理回路１１Ｂは、印刷が正常にされなかったと判断する（ステップＳ８７のＮｏ）。また、記憶回路１５Ｂから読み出された添付数が「印刷された添付数」と一致しない場合、処理回路１１Ｂは、印刷が正常にされなかったと判断する（ステップＳ８７のＮｏ）。また、記憶回路１５Ｂから読み出された画像サイズが「印刷された画像サイズ」と一致しない場合、処理回路１１Ｂは、印刷が正常にされなかったと判断する（ステップＳ８７のＮｏ）。
【０１０２】
印刷が正常にされたと判断した場合（ステップＳ８７のＹｅｓ）、処理回路１１Ｂは、処理を終了させる。一方、印刷が正常にされなかったと判断した場合（ステップＳ８７のＮｏ）、処理回路１１Ｂは、通知機能１１５を実行する。通知機能１１５を実行すると処理回路１１Ｂは、記憶回路１５Ｂから読み出した情報と、読み取った情報が一致しなかった領域について、印刷が正常に実施されなかった旨を、読影医へ通知する（ステップＳ８８）。
【０１０３】
具体的には、ステップＳ８６において、記憶回路１５Ｂから読み出された患者ＩＤ、患者氏名、生年月日、年齢、及び性別のうち少なくともいずれかが、「印刷された患者情報」に含まれる情報と一致しない場合、処理回路１１Ｂは、患者情報領域の印刷が正常に実施されなかった旨を読影医へ通知する。また、記憶回路１５Ｂから読み出された検査日、種別、依頼科、及び依頼医師のうち少なくともいずれかが、「印刷された関連情報」に含まれる情報と一致しない場合、処理回路１１Ｂは、関連情報領域の印刷が正常に実施されなかった旨を読影医へ通知する。また、記憶回路１５Ｂから読み出された所見情報が、「印刷された所見情報」と一致しない場合、処理回路１１Ｂは、所見情報領域の印刷が正常に実施されなかった旨を読影医へ通知する。また、記憶回路１５Ｂから読み出された添付数が「印刷された添付数」と一致しない場合、処理回路１１Ｂは、画像添付領域の印刷が正常に実施されなかった旨を読影医へ通知する。また、記憶回路１５Ｂから読み出された画像サイズが「印刷された画像サイズ」と一致しない場合、処理回路１１Ｂは、患者情報領域の印刷が正常に実施されなかった旨を読影医へ通知する。
【０１０４】
読影医への通知は、例えば、印刷が正常に実施されない旨を、出力インタフェース１３Ｂとして設けられる表示機器に表示させることで実現される。また、読影医への通知は、通信インタフェース１４を介し、読影医が所持するＰＨＳ等の携帯端末へＥメールを送信することで実現されてもよい。
【０１０５】
処理回路１１Ｂは、ステップＳ８８において、印刷が正常に実施されなかった旨を読影医へ通知すると、訂正書面作成機能１１８を実行する。訂正書面作成機能１１８を実行すると処理回路１１Ｂは、訂正書面を作成する（ステップＳ８９）。
【０１０６】
具体的には、処理回路１１Ｂは、記憶回路１５Ｂから訂正様式に関する情報１５２を読み出す。訂正様式に関する情報１５２には、レイアウト情報、及び文字に関する情報等が含まれる。処理回路１１Ｂは、患者情報領域、関連情報領域、又は所見情報領域についての印刷が正常に実施されなかった場合、印刷が正常に実施されなかった領域に含まれる項目についての情報を、記憶回路１５Ｂから読み出す。処理回路１１Ｂは、訂正書面の識別情報、及び記憶回路１５Ｂから読み出した情報を含む訂正書面データを、訂正様式に則って作成する。なお、訂正書面の識別情報には、読影レポートのレポートＩＤ、患者ＩＤ、及び領域の名称等が含まれる。
【０１０７】
処理回路１１Ｂは、訂正書面データを作成すると、作成した訂正書面データを、出力インタフェース１３Ｂから印刷装置４１へ送信する。印刷装置４１は、訂正書面データを受信すると、受信した訂正書面データを印刷可能なフォーマットに変換する。印刷装置４１は、フォーマット変換後の訂正書面データに基づいて訂正書面を印刷する。
【０１０８】
図９は、図７に示されるレポート作成システム４で印刷される訂正書面の例を表す模式図である。図９に示される訂正書面は、患者情報領域が正常に印刷されなかった場合に印刷される訂正書面の例を表す。
【０１０９】
また、処理回路１１Ｂは、画像添付領域についての印刷が正常に実施されなかった場合、添付画像についての情報を、記憶回路１５Ｂから読み出す。処理回路１１Ｂは、訂正様式のレイアウト情報を利用し、所定の個数、及び所定の画像サイズの医用画像の訂正書面上の配置を決定する。処理回路１１Ｂは、決定した位置に、対応する医用画像を添付することで訂正文書を作成する。
【０１１０】
図１０は、図７に示されるレポート作成システム４で印刷される訂正書面の例を表す模式図である。図１０に示される訂正書面は、画像添付領域が正常に印刷されなかった場合に作成される訂正書面の例を表す。
【０１１１】
なお、訂正様式については、そのレイアウトが印刷様式のレイアウトと異なっていれば、任意のレイアウトを取り得る。また、訂正書面は、領域毎に異なる書面で作成されてもよい。例えば、患者情報領域、及び関連情報領域において印刷が正常に実施されない場合、処理回路１１Ｂは、患者情報領域についての情報を記載する訂正書面と、関連情報領域についての情報を記載する訂正書面とを別々に作成してもよい。
【０１１２】
また、訂正書面は、複数の領域に含まれる項目についての情報を同一の書面で表してもよい。例えば、患者情報領域、及び関連情報領域において印刷が正常に実施されない場合、処理回路１１Ｂは、患者情報領域についての情報と、関連情報領域についての情報とを記載する訂正書面を作成してもよい。
【０１１３】
処理回路１１Ｂは、訂正書面が印刷されると、提示機能１１６Ｂを実行する。提示機能１１６Ｂを実行すると処理回路１１Ｂは、マージン領域に文字、数字、及び汚れ等がある旨を表す判別フラグ、及び識別することが不可能であった文字、及び数字の数を、記憶回路１５Ｂから読み出す。処理回路１１Ｂは、判別フラグの有無、識別不可能文字の数、及び印刷失敗の判断等に基づき、印刷環境の問題を推定する。
【０１１４】
図１１は、図７に示される処理回路１１Ｂが印刷環境の問題を推定する際に用いるテーブルの例を表す図である。処理回路１１Ｂは、図１１を利用し、例えば、以下のように印刷環境の問題を推定する。
【０１１５】
例えば、識別不可能文字の数が所定数以上ある場合、処理回路１１Ｂは、印刷品質が劣化していると判断し、インク切れ、又は印刷装置４１が故障していると推定する。
【０１１６】
また、識別不可能文字の数が所定数未満である場合、処理回路１１Ｂは、判別フラグの有無、及び印刷失敗の判断に基づいて印刷環境の問題を推定する。判別フラグが有り、かつ、印刷に失敗した場合、処理回路１１Ｂは、項目に記載されている内容のいずれかがマージン領域にはみ出していると判断し、プリンタドライバに問題があると推定する。また、判別フラグが有り、かつ、印刷が正常であると判断された場合、処理回路１１Ｂは、マージン領域に汚れ等があると判断し、印刷装置４１に問題があると推定する。また、判別フラグが無く、かつ、印刷に失敗した場合、処理回路１１Ｂは、印刷された情報が途中で切れている、印刷された情報同士が被っている、及びキー画像の印刷数不足等の問題が発生していると判断し、記憶回路１５Ｂに記憶されている印刷様式に関する情報１５１に問題があると推定する。
【０１１７】
処理回路１１Ｂは、推定した印刷環境の問題を読影医へ提示する（ステップＳ８１０）。例えば、処理回路１１Ｂは、推定した印刷環境の問題を、出力インタフェース１３として設けられる表示機器に表示させる。なお、処理回路１１Ｂは、推定した印刷環境の問題を、通信インタフェース１４を介し、読影医が所持するＰＨＳ等の携帯端末へＥメールで通知してもよい。
【０１１８】
以上のように、第２の実施形態に係るレポート作成装置１Ｂは、印刷指示が入力されると、作成した読影レポートを印刷様式に則った形式の電子データに変換する。印刷装置４１は、印刷様式の電子データに基づいて医用文書を印刷する。読取装置４２は、印刷医用文書を画像情報として読み取る。レポート作成装置１Ｂは、読み取った画像情報を解析し、画像情報に含まれている情報を取得する。そして、レポート作成装置１Ｂは、取得した情報と、読影レポートの作成時に記憶した情報とを照合し、印刷が正常にされたか否かを判断する。これにより、レポート作成装置１Ｂは、印刷した医用情報における情報の欠落を、読影医へ通知することが可能となる。
【０１１９】
したがって、第２の実施形態に係るレポート作成システムによれば、読影レポートを印刷する際の情報の欠落を防ぐことができる。
【０１２０】
また、第２の実施形態では、レポート作成装置１Ｂは、印刷が正常にされなかった場合、正常に印刷されなかった領域の情報を、印刷様式とは異なる様式で印刷するようにしている。これにより、必要な情報が漏れなく伝達されることになる。
【０１２１】
また、第２の実施形態では、レポート作成装置１Ｂは、印刷が正常にされなかった場合、印刷環境の問題を推定し、推定した問題を提示するようにしている。これにより、読影医は、印刷が正常に実施されなかった原因を、労力を払わずに発見することが可能となる。
【０１２２】
上記説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、第１、及び第２の実施形態の各プロセッサは、プロセッサ毎に単一の回路として構成される場合に限らず、複数の独立した回路を組み合わせて１つのプロセッサとして構成し、その機能を実現するようにしてもよい。
【０１２３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２４】
１，１Ｂ…レポート作成装置、１１，１１Ｂ…処理回路、１１１…作成指示機能、１１２…印刷確認機能、１１３，１１３Ｂ…解析機能、１１４…判定機能、１１５…通知機能、１１６，１１６Ｂ…提示機能、１１７…作成機能、１１８…訂正書面作成機能、１２，１２Ｂ…入力インタフェース、１３，１３Ｂ…出力インタフェース、１４…通信インタフェース、１５，１５Ｂ…記憶回路、２…レポート作成サーバ、３…画像サーバ、４…レポート作成システム、４１…印刷装置、４１１…処理回路、４１１１…変換機能、４１２…入力インタフェース、４１３…印刷回路、４２…読取装置。
【図１】
2018147083.tif 000003
【図２】
2018147083.tif 000004
【図３】
2018147083.tif 000005
【図４】
2018147083.tif 000006
【図５】
2018147083.tif 000007
【図６】
2018147083.tif 000008
【図７】
2018147083.tif 000009
【図８】
2018147083.tif 000010
【図９】
2018147083.tif 000011
【図１０】
2018147083.tif 000012
【図１１】
2018147083.tif 000013